(57)【要約】【課題】ＬＥＤを光源とした場合であっても、投影画像の輝度確保と色度調整とを共に達成することができるようにする。【解決手段】各ＬＥＤ２０Ｒ、２０Ｇ、２０Ｂのうち、所定値以下の照度となっているＬＥＤがあるか否かを判断する（ステップＳＡ５）。つまり、ＬＥＤにあっては、その使用時間（点灯）の経過に伴って劣化し、この劣化に伴って照度（輝度）が低下する。したがって、このように照度が所定値以下に低下したＬＥＤが出現してしまった場合には、そのＬＥＤの照度、つまり照度が所定値以下に低下してしまったＬＥＤの当該照度に基づいて、他のＬＥＤのパルス点灯幅を設定する（ステップＳＡ６）。例えば、Ｂの照度が規定値未満であったが故に、ステップＳＡ５の判断がＹＥＳとなってしまった場合には、Ｂを除くＲとＧのパルス幅を狭くする。【選択図】図４
2010078751.tif 000002
【特許請求の範囲】
【請求項１】
発光色の異なる複数の光源を時分割で点灯させて画像を投影する投影装置であって、
前記各光源の時分割点灯期間中において、当該時分割点灯中の光源以外の光源を所定のパルス幅でパルス点灯させるパルス駆動手段と、
前記各光源毎の劣化度を検出する検出手段と、
この検出手段により検出された各光源の劣化度に基づき、前記パルス駆動手段によりパルス点灯させる前記時分割点灯中の光源以外の光源のパルス点灯幅を制御するパルス制御手段と
を備えたことを特徴とする投影装置。
【請求項２】
前記発光色の異なる複数の光源は、赤色、緑色、青色を各々発光するＬＥＤからなることを特徴とする請求項１記載の投影装置。
【請求項３】
前記パルス制御手段は、
前記パルス点灯幅の制御情報を記憶した記憶手段と、
この記憶手段に記憶された前記制御情報に基づき、前記他の発光色の光源におけるパルス点灯幅を制御する制御手段と
を備えたことを特徴とする請求項１又は２記載の投影装置。
【請求項４】
前記パルス駆動手段及びパルス制御手段は、所定数の階調でパルス点灯することを特徴とする請求項１から３にいずれか記載の投影装置。
【請求項５】
前記検出手段は、所定時間毎に前記複数の光源の劣化度を各々検出することを特徴とする請求項１から４にいずれか記載の投影装置。
【請求項６】
前記検出手段は、
前記各光源毎の照度を測定する測定手段
を備えることを特徴とする請求項１から５にいずれか記載の投影装置。
【請求項７】
前記パルス制御手段は、
前記測定手段により測定された各光源毎の照度が所定値以下であるか否かを判定する判定手段と、
前記判定手段において照度が所定値以下の光源があった場合に当該所定値以下の光源以外の光源のパルス点灯幅を狭めるように調整する調整手段と、
を備えたことを特徴とする請求項６に記載の投影装置。
【請求項８】
発光色の異なる複数の光源を時分割で点灯させて画像を投影する投影装置が有するコンピュータを、
前記各光源の時分割点灯期間中において、当該時分割点灯中の光源以外の光源を所定のパルス幅でパルス点灯させるパルス駆動手段と、
前記各光源毎の劣化度を検出する検出手段と、
この検出手段により検出された各光源の劣化度に基づき、前記パルス駆動手段によりパルス点灯させる前記時分割点灯中の光源以外の光源のパルス点灯幅を制御するパルス制御手段と
して機能させることを特徴とする投影装置制御プログラム。
【請求項９】
発光色の異なる複数の光源を時分割で点灯させて画像を投影する投影装置における光源制御方法であって、
前記各光源の時分割点灯期間中において、当該時分割点灯中の光源以外の光源を所定のパルス幅でパルス点灯させるパルス駆動工程と、
前記各光源毎の劣化度を検出する検出工程と、
この検出工程により検出された各光源の劣化度に基づき、前記パルス駆動工程によりパルス点灯させる前記時分割点灯中の光源以外の光源のパルス点灯幅を制御するパルス制御工程と
を含むことを特徴とする光源制御方法。
【発明の詳細な説明】
【技術分野】
【０００１】
本発明は、発光色の異なる複数の光源を用いて投影を行う投影装置、該投影装置の制御プログラム及び光源制御方法に関するものである。
【背景技術】
【０００２】
従来、装置の小型化や携帯化等を図るべく、ハロゲンランプに代えてＲＧＢ各色を発光する３個のＬＥＤを光源として用いる投影装置が提案されるに至っている。しかし、このように、ＲＧＢ各色を発光する３個のＬＥＤを光源として用いると、各色のＬＥＤが順次点灯され、瞬間的には常にＲＧＢのいずれか一色のＬＥＤが点灯しているに過ぎないこと、及びＬＥＤの輝度はハロゲンランプよりも遙かに劣ることに起因して、投影画像を高輝度化することができない。
【０００３】
そこで、ある色のＬＥＤを点灯させるタイミングにおいては、他の色のＬＥＤを低出力で駆動して点灯させることにより、例えばＲ色のＬＥＤを点灯させるタイミングおいては、Ｇ色とＢ色のＬＥＤを低出力で点灯させることにより、投影画像に輝度を確保できるようにした投影装置も提案されるに至っている（例えば、特許文献１参照）。
【特許文献１】特開２００４−３１７５５８号公報
【発明の開示】
【発明が解決しようとする課題】
【０００４】
しかしながら、ＬＥＤにあってはこれを定格よりも低い電流値で駆動すると、駆動電流値に応じて発光色が変化して当該ＬＥＤ本来の発光色とは異なる色に発光する特性を有する。したがって、前述のように例えばＲ色のＬＥＤを点灯させるタイミングおいて、Ｇ色とＢ色のＬＥＤを低出力で点灯させると、全体としてＲ色にＧ色とＢ色とが加わった発光色となるのではなく、Ｒ色に、Ｇ色が変化したＧ変化色と、Ｂ色が変化したＢ変化色とが加わった予期しない発光色となる。
【０００５】
加えて、ＬＥＤにあっては使用時間の経過（点灯時間の長大化）に伴って劣化することから、この劣化に伴って輝度が低下するとともに、色度が変化してしまうおそれもある。したがって、前述のように例えばＲ色のＬＥＤを点灯させるタイミングおいて、Ｇ色とＢ色のＬＥＤを点灯させると、Ｒ色のみのＬＥＤを点灯させるタイプの投影装置よりも早期に劣化が進行する。その結果、前述と同様に、Ｒ色に、Ｇ色が変化したＧ変化色と、Ｂ色が変化したＢ変化色とが加わった予期しない発光色となる場合がある。
【０００６】
このため、投影画像に高輝度を確保できるというメリットが得られる反面、投影画像の色度調整が困難となるというデメリットが生じてしまう。
【０００７】
本発明は、かかる従来の課題に鑑みてなされたものであり、ＬＥＤを光源とした場合であっても、投影画像の輝度確保と色度調整とを共に達成することのできる投影装置、該投影装置の制御プログラム及び光源制御方法を提供することを目的とする。
【課題を解決するための手段】
【０００８】
前記課題を解決するために請求項１記載の発明に係る投影装置にあっては、発光色の異なる複数の光源を時分割で点灯させて画像を投影する投影装置であって、前記各光源の時分割点灯期間中において、当該時分割点灯中の光源以外の光源を所定のパルス幅でパルス点灯させるパルス駆動手段と、前記各光源毎の劣化度を検出する検出手段と、この検出手段により検出された各光源の劣化度に基づき、前記パルス駆動手段によりパルス点灯させる前記時分割点灯中の光源以外の光源のパルス点灯幅を制御するパルス制御手段とを備えたことを特徴とする。
【０００９】
また、請求項２記載の発明に係る投影装置にあっては、前記発光色の異なる複数の光源は、赤色、緑色、青色を各々発光するＬＥＤからなることを特徴とする。
【００１０】
また、請求項３記載の発明に係る投影装置にあっては、前記パルス制御手段は、前記パルス点灯幅の制御情報を記憶した記憶手段と、この記憶手段に記憶された前記制御情報に基づき、前記他の発光色の光源におけるパルス点灯幅を制御する制御手段とを備えたことを特徴とする。
【００１１】
また、請求項４記載の発明に係る投影装置にあっては、前記パルス駆動手段及びパルス制御手段は、所定数の階調でパルス点灯することを特徴とする。
【００１２】
また、請求項５記載の発明に係る投影装置にあっては、前記検出手段は、所定時間毎に前記複数の光源の劣化度を各々検出することを特徴とする。
【００１３】
また、請求項６記載の発明に係る投影装置にあっては、前記検出手段は、前記各光源毎の照度を測定する測定手段を備えることを特徴とする。
【００１４】
また、請求項７記載の発明に係る投影装置にあっては、前記パルス制御手段は、前記測定手段により測定された各光源毎の照度が所定値以下であるか否かを判定する判定手段と、前記判定手段において照度が所定値以下の光源があった場合に当該所定値以下の光源以外の光源のパルス点灯幅を狭めるように調整する調整手段と、を備えたことを特徴とする。
【００１５】
また、請求項８記載の発明に係る投影装置制御プログラムにあっては、発光色の異なる複数の光源を時分割で点灯させて画像を投影する投影装置が有するコンピュータを、前記各光源の時分割点灯期間中において、当該時分割点灯中の光源以外の光源を所定のパルス幅でパルス点灯させるパルス駆動手段と、前記各光源毎の劣化度を検出する検出手段と、この検出手段により検出された各光源の劣化度に基づき、前記パルス駆動手段によりパルス点灯させる前記時分割点灯中の光源以外の光源のパルス点灯幅を制御するパルス制御手段として機能させることを特徴とする。
【００１６】
また、請求項９記載の発明は、発光色の異なる複数の光源を時分割で点灯させて画像を投影する投影装置における光源制御方法であって、前記各光源の時分割点灯期間中において、当該時分割点灯中の光源以外の光源を所定のパルス幅でパルス点灯させるパルス駆動工程と、前記各光源毎の劣化度を検出する検出工程と、この検出工程により検出された各光源の劣化度に基づき、前記パルス駆動工程によりパルス点灯させる前記時分割点灯中の光源以外の光源のパルス点灯幅を制御するパルス制御工程とを含むことを特徴とする。
【発明の効果】
【００１７】
本発明によれば、ＬＥＤを光源とした場合であっても、投影画像に輝度を確保することが可能となるとともに、投影画像の色度を調整することも可能となる。
【発明を実施するための最良の形態】
【００１８】
以下、本発明の一実施の形態を図に従って説明する。
図１は、本実施の形態に係る投影装置１の電気的構成を示すブロック図である。この投影装置１は、制御部１１、入出力インターフェイス１２、画像変換部１３、表示エンコーダ１４、表示駆動部１５等を有するものであって、入出力コネクタ部１６から入力された各種規格の画像信号（画像データ）は、入出力インターフェイス１２、システムバス１７を介して、画像変換部１３で表示に適した所定フォーマットの画像信号に統一するように変換された後、表示エンコーダ１４に送られる。
【００１９】
表示エンコーダ１４は、送られてきた画像信号をビデオＲＡＭ１８に展開記憶させた上で、このビデオＲＡＭ１８の記憶内容からビデオ信号を生成して表示駆動部１５に出力するものである。
【００２０】
表示エンコーダ１４からビデオ信号が入力される表示駆動部１５は、送られてきたビデオ信号に対応して適宜フレームレートで２５６階調毎に表示素子としてのＤＭＤ１９（デジタル・マイクロミラー・デバイス）を駆動する。そして、光源装置２０から射出された光線束を、光源側光学系を介してＤＭＤ１９に入射することにより、ＤＭＤ１９の反射光で光像を形成し、投影側光学系とする可動レンズ群２１を介して図示しないスクリーンに画像を投影表示する。この投影側光学系の可動レンズ群２１は、レンズモータ２２によりズーム調整やフォーカス調整のための駆動が行われる。
【００２１】
画像圧縮／伸張部２３は、画像信号における輝度信号及び色差信号をＡＤＴＣ及びハフマン符号化等の処理により、データ圧縮して着脱自在な記録媒体であるメモリカード２４に書き込む記録処理や、メモリカード２４に記録された画像データを読み出し、一連の動画を構成する個々の画像データを１フレーム単位で伸張して画像変換部１３を介して表示エンコーダ１４に送り、メモリカード２４に記憶された画像データに基づいて動画等の表示を可能にするものである。
【００２２】
制御部１１は、投影装置１内における各回路の動作を制御するものであって、ＣＰＵ及びその周辺回路、ＲＯＭ１１１、ＲＡＭ１１２等で構成されている。ＲＯＭ１１１には、各種セッティング等のプログラム、後述するフローチャートにより示すプログラムやデータ等が予め記憶されており、ＲＡＭ１１２は、ワークメモリ等として使用される。
【００２３】
キー／インジケータ部２５は、本体ケース等に設けられているメインキー及びインジケータ等により構成され、その操作信号は制御部１１に送出される。また、リモートコントローラからのキー操作信号は、Ｉｒ受信部２６で受信され、Ｉｒ処理部２７で復調されてコード信号が制御部１１に送られる。
【００２４】
また、制御部１１には、システムバス１７を介して音声処理部３０が接続されており、音声処理部３０はＰＣＭ音源等の音源回路を備え、投影モード及び再生モード時には、音声データをアナログ化し、スピーカ３１を駆動して拡声放音させることができる。
【００２５】
前記光源装置２０は、Ｒ（赤）色を発光する赤色ＬＥＤ２０Ｒ、Ｇ（緑）色を発光する緑色ＬＥＤ２０Ｇ、及びＢ（青）色を発光する青色ＬＥＤ２０Ｂで構成されている。制御部１１は、光源制御回路３２を制御することにより、画像信号に応じて各ＬＥＤ２０Ｒ、２０Ｇ、２０Ｂを時分割制御するとともに、後述するようにパルス制御する。
【００２６】
また、これら赤色ＬＥＤ２０Ｒ、緑色ＬＥＤ２０Ｇ、青色ＬＥＤ２０Ｂの近傍は、対応する照度センサ３３Ｒ、３３Ｇ、３３Ｂが設けられている。これら照度センサ３３Ｒ、３３Ｇ、３３Ｂは、対応する各ＬＥＤ２０Ｒ、２０Ｇ、２０Ｂの照度を検出し、図示しない回路を介して前記制御部１１に供給するものである。
【００２７】
前記ＲＯＭ１１１には、前記プログラム等とともに図２に示す１フレーム分のパルス点灯幅初期値パターンＰＰが記憶されている。このパルス点灯幅初期値パターンＰＰは、１フレーム分における通常駆動時の各ＬＥＤ２０Ｒ、２０Ｇ、２０Ｂの時分割点灯に対応して、各色の時分割点灯期間において当該時分割点灯する以外の他のＬＥＤを一定の間隔でパルス点灯する点灯タイミング及びそのパルス幅が記憶されている。また、ＬＥＤのパルス点灯タイミングは、高頻度であるほどＤＭＤ１９によって像を顕在化したときの色度を適切にすることができるが、本実施例においては、０〜２５５階調の動作に対応するタイミングであるものとする。
【００２８】
すなわち、上述の他のＬＥＤを後述するように所定の光量分パルス点灯させる際に、パルス幅を短くしてできるだけ高頻度で点灯させたほうが、その点灯期間における色度バランスを適切にすることができるが、本実施例における表示素子であるＤＭＤ１９は、上述のように０〜２５５階調に基づいて上記光源装置２０から射出される光を反射して像を作るため、少なくともこの０〜２５５の各階調のタイミングでＤＭＤ１９に入射する光を上述のように他のＬＥＤをパルス点灯させて調整することで適切な色度バランスを得ることができる。
【００２９】
つまり、１フレーム内において、赤色ＬＥＤが時分割点灯する間においては緑色ＬＥＤと青色ＬＥＤとを各々２５６階調タイミングで駆動するパルス幅が記憶されており、緑色ＬＥＤが時分割点灯する間においては赤色ＬＥＤと青色ＬＥＤとを各々２５６階調タイミングで駆動するパルス幅が記憶されており、青色ＬＥＤが時分割点灯する間においては赤色ＬＥＤと緑色ＬＥＤとを各々２５６階調タイミングで駆動するパルス幅が記憶されている。
【００３０】
なお、このパルス点灯幅初期値パターンＰＰは、ある程度の輝度を上げることができ、かつ、色度には殆ど影響を及ぼさない程度のパルス幅からなる。
【００３１】
さらに前記ＲＯＭ１１１には、図３に示すパルス幅制御テーブルＰＴが記憶されている。このパルス幅制御テーブルＰＴには、各ＬＥＤ２０Ｒ、２０Ｇ、２０Ｂの照度である「Ｒ照度」、「Ｇ照度」、「Ｂ照度」が規定値未満である場合（ＹＥＳ）、と規定値以上である場合（ＮＯ）の組み合わせに対応して、通常駆動時の「Ｒ点灯時」、「Ｇ点灯時」、「Ｂ点灯時」それぞれの時分割点灯時においてパルス点灯する他のＬＥＤのパルス点灯幅制御情報（「変更無し」又は「パルス狭く」）が記憶されている。
【００３２】
すなわち、例えば（１）のようにＲ、Ｇ、Ｂの照度が全て規定値以上である場合（ＮＯ）、及び（８）のようにＲ、Ｇ、Ｂの照度が全て規定値未満である場合（ＹＥＳ）には、Ｒ、Ｇ、Ｂの点灯時における他のＬＥＤのパルス幅は変更しない。これは、各ＬＥＤの照度にバラツキがないため、特定のＬＥＤが劣化することに伴う全体色度の変化を修正する必要がないためである。しかし、例えば（２）のようにＢの照度だけが規定値未満である場合（ＹＥＳ）には、他のＬＥＤであるＲ、Ｇのパルス幅を狭くする。つまり、本例においては、照度が低下したＬＥＤに合わせて、照度が低下していない他のＬＥＤのパルス幅を狭くすることにより、照度が低下したＬＥＤに他のＬＥＤの照度を合致させる制御情報が記憶されているのである。
【００３３】
以上の構成に係る本実施の形態において、投影装置１の制御部１１は、ＲＯＭ１１１に記憶されたプログラムに基づき、図４に示すフローチャートに従って処理を一定時間毎に実行する。すなわち、ＲＯＭ１１１から前記パルス点灯幅初期値パターンＰＰを読み出して、ＲＡＭ１１２の所定領域にセットする（ステップＳＡ１）。次に、制御部１１が有しているタイマＴの計時を開始させるとともに、計時を継続させる（ステップＳＡ２。）
【００３４】
そして、このステップＳＡ１で計時を開始させたタイマＴの値が所定時間以上となったか否かを判断する（ステップＳＡ３）。タイマＴが所定時間以上となっていない場合には、ステップＳＡ４〜ＳＡ７の処理を実行することなく、ステップＳＡ８の処理を実行し、設定したパルス点灯幅でパルス点灯して画像を投影する。
【００３５】
このとき、後述するステップＳＡ６の処理が未だ１度も実行されていない状態（後述するようにいずれのＬＥＤにも劣化が生じていない状態）であると、ステップＳ８の処理における「設定したパルス点灯幅」は、ステップＳＡ１で設定された「初期点灯パルス幅」であって、図２に示した点灯幅初期値パターンＰＰに基づくパルス幅である。そして、このパルス点灯幅初期値パターンＰＰは、前述のようにある程度の輝度を上げることができ、かつ、色度には殆ど影響を及ぼさない程度のパルス幅からなる。
【００３６】
したがって、後述するステップＳＡ５の処理が実行される以前であって、ＬＥＤのいずれにも劣化が生じていない状態においては、パルス点灯幅初期値パターンＰＰにより、投影画像に輝度を確保できるとともに、パルス点灯時のパルス幅により色度調整を行うことができる。よって、投影画像の輝度確保と色度調整とを共に達成することができる。
【００３７】
他方、ステップＳＡ３での判断の結果、タイマＴの値が所定時間以上となった場合には、照度センサ３３Ｒ、３３Ｇ、３３Ｂからの検出出力に基づき、各ＬＥＤ２０Ｒ、２０Ｇ、２０Ｂの照度を測定する（ステップＳＡ４）。そして、これら測定した各ＬＥＤ２０Ｒ、２０Ｇ、２０Ｂのうち、所定値以下の照度となっているＬＥＤがあるか否かを判断する（ステップＳＡ５）。
【００３８】
つまり、ＬＥＤにあっては、その使用時間（点灯）の経過に伴って劣化し、この劣化に伴って照度（輝度）が低下する。しかも、本実施の形態においては図２の点灯幅初期値パターンＰＰに示したように、１サイクルにおいて、Ｒ、Ｇ、Ｂ、各ＬＥＤの点灯合計時間は同一ではなく異なっている（点灯合計時間は長い順にＢ、Ｒ、Ｇである）。したがって、この投影装置１の使用時間の経過に伴い、ＬＥＤ２０Ｒ、２０Ｇ、２０Ｂの照度には、その使用時間の相違に起因して必然的に照度差が生じ、照度が所定値以下に低下したＬＥＤが出現する場合がある。
【００３９】
したがって、このように照度が所定値以下に低下したＬＥＤが出現してしまった場合には、そのＬＥＤの照度、つまり照度が所定値以下に低下してしまったＬＥＤの当該照度に基づいて、他のＬＥＤのパルス点灯幅を設定する（ステップＳＡ６）。このステップＳＡ６における他のＬＥＤのパルス点灯幅の設定は、前述の図３に示したパルス幅制御テーブルＰＴを参照して行う。
【００４０】
このように、予め記憶しておいたパルス幅制御テーブルＰＴを参照することにより、簡単な処理でＬＥＤのパルス点灯幅の設定を行うことができる。
【００４１】
すなわち、図２に示した点灯幅で各ＬＥＤを点灯させた場合、上述のようにＢの照度が最も使用頻度が高いことに起因して、パルス幅制御テーブルＰＴの（２）に示されるようにＢの照度が規定値未満となってしまった場合には（ステップＳＡ５／ＹＥＳ）、Ｂを除くＲとＧのパルス幅を狭くする。また、（４）に示すように、ＧとＢの照度が規定値未満であったが故に、ステップＳＡ５の判断がＹＥＳとなってしまった場合には、ＧとＢを除くＲのパルス幅を狭くする。
【００４２】
つまり、劣化がなく高い照度を維持しているＬＥＤのパルス幅を狭くすることにより照度を低下させて、劣化により照度が低下したＬＥＤの照度とのバランスを維持することで、各ＬＥＤから照射される投影光全体としての色度が不適切になることを未然に防止できるものである。
【００４３】
そして、このように、照度が所定値以下に低下してしまったＬＥＤの当該照度に基づいて、他のＬＥＤのパルス点灯幅を設定（狭く設定）したならば、タイマＴをリセットした後（ステップＳＡ７）、前述したステップＳＡ８の処理を実行する。したがって、ステップＳＡ８において各ＬＥＤ２０Ｒ、２０Ｇ、２０Ｂは、ステップＳＡ６で設定されたパルス点灯幅で点灯駆動されて、画像が投影されることとなる。
【００４４】
以上より、ステップＳＡ１で最初に設定する初期パルス点灯幅に基づくパルス点灯により、通常駆動時におけるＲＧＢ各色の時分割点灯時の照度はパルス点灯分だけ上昇するとともに、ＬＥＤの電流値を変えることなくＬＥＤのＯＮＯＦＦのみで制御可能なため電流値変化に起因する色度変化が生じない。さらに、何れかのＬＥＤの照度が所定値以下になったことにより、ステップＳＡ６で他のＬＥＤのパルス点灯幅を調整した場合であっても、同様にＬＥＤの電流値を変えることなくパルス点灯幅を変えているため、ＬＥＤ２０Ｒ、２０Ｇ、２０Ｂの発光色に電流値変化に起因した予期せぬ色度変化が生じることはない。
【００４５】
よって、ＬＥＤ２０Ｒ、２０Ｇ、２０Ｂの発光色に予期せぬ変化色が加わることにより、投影画像の色度調整が困難となるというデメリットが生ずることがない。その結果、ＬＥＤに劣化が生じても、投影画像の色度調整が困難となるというデメリットの発生を回避しつつ、投影画像に高輝度を確保できるというメリットを確保することができる。
【００４６】
また、本実施の形態においては、所定時間Ｔ毎にステップＳＡ４の処理を行うようにしたことから、過不足のないタイミングでＬＥＤの照度測定を行うことができる。そして、この所定時間Ｔは、前回ランプ交換時期や、初期パルス点灯幅の値や、投影装置の使用環境などに基づいて設定されるものとしても良い。
なお、本実施の形態においては、所定時間Ｔ毎にステップＳＡ４の処理を行うようにしたが、これに限らず、投影装置起動時に自動的に行う場合や、ユーザの指示に基づいて行う場合であっても良い。
【００４７】
なお、本実施の形態においては、各ＬＥＤ２０Ｒ、２０Ｇ、２０Ｂに対応させて３個の照度センサ３３Ｒ、３３Ｇ、３３Ｂを設けるようにしたが、単一の照度センサのみを設け、各ＬＥＤ２０Ｒ、２０Ｇ、２０Ｂの時分割点灯タイミングで各照度を検出するようにしてもよい。
また、本実施の形態においては、照度センサはＬＥＤ近傍に設け、ＬＥＤからの照射光を直接測定する構成としたが、これに限らず、例えばＤＭＤ１９によって反射された投影画像形成に使用されない不要光としてのＬＥＤ照射光を測定する構成としても良い。いずれにしても、このような構成とすることで、仮にＬＥＤ自身の経年劣化による照度減少のほかに例えば外的要因などによる照度減少があった場合であったとしても、ＬＥＤの正確な照度を測ることができるものである。
【００４８】
また、上述の実施の形態においては、1フレームを３個に時分割して、赤色ＬＥＤ２０Ｒ、緑色ＬＥＤ２０Ｇ、青色ＬＥＤ２０Ｂを時分割点灯させるようにしたが、図５に示すように、１フレームを４個に時分割するようにしてもよい。この場合、図示のように４番目の時分割タイミングを白（Ｗ）色点灯時間に割り当て、この白色時分割点灯時においては、赤色ＬＥＤ２０Ｒ、緑色ＬＥＤ２０Ｇ、青色ＬＥＤ２０Ｂを予め設定された初期パルス点灯幅で０〜２５５階調毎にパルス駆動するとともに、何れかのＬＥＤの照度が所定値以下になった場合は、図３のパルス幅制御テーブルＰＴに基づいて劣化したＬＥＤ以外のＬＥＤのパルス点灯幅を狭める調整を行うものである。
【００４９】
このように、白色時分割点灯時において、赤色ＬＥＤ２０Ｒ、緑色ＬＥＤ２０Ｇ、青色ＬＥＤ２０Ｂを全てパルス駆動するパルス点灯幅パターンを用いれば、より適切に投影画像に輝度を確保することが可能となるとともに、色度を微調整することができる。また、白色の初期パルス点灯幅は、未だ何れのＬＥＤも劣化していない段階においては、ＲＧＢ各ＬＥＤを全点灯させることが色度の変化なしに最も輝度を得られる場合であると考えられるが、白色を発生させる際に最も用いたい色ＬＥＤを全発光させ、他のＬＥＤをパルス駆動するようにすれば、白色を好みの色味にして投影することもできる。
【００５０】
また、上述の実施の形態においては、他のＬＥＤは、２５６階調毎にパルス点灯させる構成としたが、これに限らず、もっと高頻度でパルス点灯させてもよいし、逆にもっと低頻度でパルス点灯させてもよい。いずれにしても、パルス点灯期間中に一定間隔で点灯する構成になっていればよい。その際、パルス点灯させるパルス幅を変えることで色度の調整をすることができる。
また、上述の実施の形態においては、照度が所定値を下回ったＬＥＤがあった場合はステップＳＡ６の処理を実行することとしたが、このとき、例えば図３の（４）、（６）、（７）のように照度が所定値を下回ったＬＥＤが複数存在した場合、そのうち最も照度が下がっているＬＥＤにあわせて狭めるパルス点灯幅を設定する構成としても良い。このようにすることで、より精度の高い色度調整が可能となる。
【００５１】
また、上述の実施の形態においては発光色の異なるＬＥＤを光源として用いるようにしたが、ＬＥＤ以外にも、例えばレーザーなどの他の発光色の異なる複数の光源を用いるようにしてもよい。
【図面の簡単な説明】
【００５２】
【図１】本発明の一実施の形態に係る投影装置の回路構成を示すブロック図である。
【図２】パルス点灯幅初期値パターンの一例を示す模式図である。
【図３】パルス幅制御テーブルを示す模式図である
【図４】本発明の一実施の形態における処理手順を示すフローチャートである。
【図５】１フレームを４時分割した場合におけるパルス点灯幅パターンの一例を示す模式図である。
【符号の説明】
【００５３】
１    投影装置
１１    制御部
１２    入出力インターフェイス
１３    画像変換部
１４    表示エンコーダ
１５    表示駆動部
１６    入出力コネクタ部
１７    システムバス
１８    ビデオＲＡＭ
１９    ＤＭＤ
２０    光源装置
２０Ｂ    青色ＬＥＤ
２０Ｇ    緑色ＬＥＤ
２０Ｒ    赤色ＬＥＤ
２４    メモリカード
３２    光源制御回路
３３Ｒ、３３Ｇ、３３Ｂ    照度センサ
１１１    ＲＯＭ
１１２    ＲＡＭ
ＰＰ    パルス点灯幅初期値パターン
ＰＴ    パルス幅制御テーブル
Ｔ    タイマ
【図１】
2010078751.tif 000003
【図２】
2010078751.tif 000004
【図３】
2010078751.tif 000005
【図４】
2010078751.tif 000006
【図５】
2010078751.tif 000007
【手続補正書】
【提出日】平成21年10月2日(2009.10.2)
【手続補正１】
【補正対象書類名】特許請求の範囲
【補正対象項目名】全文
【補正方法】変更
【補正の内容】
【特許請求の範囲】
【請求項１】
複数色成分の光を個別に制御して発する光源と、
前記光源からの光を用い、１フレーム毎に当該光源光の複数色成分に対応した画像をそれぞれ形成し、順次投影する投影手段と、
前記投影手段による前記複数色成分の各画像投影期間において、前記光源からの複数色成分の光がそれぞれ所定のパルス幅で光パルスを発するよう、前記光源を駆動する駆動手段と、
前記複数色成分の光毎に前記光源の劣化度を検出する検出手段と、
前記光源から発光される光パルスのパルス幅を、前記劣化度に基づいて制御する制御手段と、
を備えたことを特徴とする投影装置。
【請求項２】
前記光源は、赤色、緑色、青色の光を発する複数の発光ダイオードを含むことを特徴とする請求項１記載の投影装置。
【請求項３】
前記制御手段は、前記パルス幅の制御情報を、前記光源における前記複数色成分の光毎の劣化度に関連付けて記憶する記憶手段を具備することを特徴とする請求項１記載の投影装置。
【請求項４】
前記制御手段は、前記光源から発する複数色成分の光の合計色度のバランスが１フレーム内において保たれるように、前記パルス幅を制御することを特徴とする請求項１記載の投影装置。
【請求項５】
前記駆動手段は、所定数の階調を与えるよう前記光源をパルス駆動することを特徴とする請求項１記載の投影装置。
【請求項６】
前記光源から発する複数色成分の光を用いて、階調表現される光学像を形成する表示手段を備え、
前記表示手段は、最大で前記所定数の階調を再生することを特徴とする請求項５記載の投影装置。
【請求項７】
前記検出手段は、前記複数色成分の光毎の光源の劣化度を所定の時間間隔で検出することを特徴とする請求項１記載の投影装置。
【請求項８】
前記検出手段は、前記複数色成分の光毎の光源の照度値を測定する測定手段を具備することを特徴とする請求項１記載の投影装置。
【請求項９】
前記制御手段は、
前記光源から発する複数色成分の光毎の各照度値が、所定の照度値未満であるか否かを判定する判定手段と、
前記判定手段が、ある光源の照度値が前記所定の照度値未満であると判定した場合に、前記所定の照度値以上の照度値を有する色成分の光のパルス幅を縮小して前記光源を駆動させる縮小手段を具備することを特徴とする請求項８記載の投影装置。
【請求項１０】
前記判定手段が、光源から発する複数色成分の光毎の各照度値が前記所定の照度値未満であると判定した場合に、前記縮小手段は、最小の照度値を有する色成分の光以外の光のパルス幅を縮小して前記光源を駆動させることを特徴とする請求項９記載の投影装置。
【請求項１１】
前記縮小手段は、前記光源から発する複数色成分の光の合計色度のバランスが１フレーム内において保たれるように、前記所定の照度値以上の照度値を有する色成分の光のパルス幅を縮小することを特徴とする請求項９記載の投影装置。
【請求項１２】
複数色成分の光を個別に制御して発する光源からの光を用い、１フレーム毎に当該光源光の複数色成分に対応した画像をそれぞれ形成し、順次投影する投影装置が有するコンピュータを、
前記投影手段による前記複数色成分の各画像投影期間において、前記光源からの複数色成分の光がそれぞれ所定のパルス幅で光パルスを発するよう、前記光源を駆動する駆動手段と、
前記複数色成分の光毎に前記光源の劣化度を検出する検出手段と、
前記光源から発光される光パルスのパルス幅を、前記劣化度に基づいて制御する制御手段と
して機能させることを特徴とする投影装置制御プログラム。
【請求項１３】
複数色成分の光を個別に制御して発する光源からの光を用い、１フレーム毎に当該光源光の複数色成分に対応した画像をそれぞれ形成し、順次投影する投影装置における光源制御方法であって、
前記投影手段による前記複数色成分の各画像投影期間において、前記光源からの複数色成分の光がそれぞれ所定のパルス幅で光パルスを発するよう、前記光源を駆動する駆動工程と、
前記複数色成分の光毎に前記光源の劣化度を検出する検出工程と、
前記光源から発光される光パルスのパルス幅を、前記劣化度に基づいて制御する制御工程と
を含むことを特徴とする光源制御方法。
【手続補正２】
【補正対象書類名】明細書
【補正対象項目名】０００８
【補正方法】変更
【補正の内容】
【０００８】
前記課題を解決するために請求項１記載の発明に係る投影装置にあっては、複数色成分の光を個別に制御して発する光源と、前記光源からの光を用い、１フレーム毎に当該光源光の複数色成分に対応した画像をそれぞれ形成し、順次投影する投影手段と、前記投影手段による前記複数色成分の各画像投影期間において、前記光源からの複数色成分の光がそれぞれ所定のパルス幅で光パルスを発するよう、前記光源を駆動する駆動手段と、前記複数色成分の光毎に前記光源の劣化度を検出する検出手段と、前記光源から発光される光パルスのパルス幅を、前記劣化度に基づいて制御する制御手段と、を備えたことを特徴とする。
【手続補正３】
【補正対象書類名】明細書
【補正対象項目名】０００９
【補正方法】変更
【補正の内容】
【０００９】
また、請求項２記載の発明に係る投影装置にあっては、前記光源は、赤色、緑色、青色の光を発する複数の発光ダイオードを含むことを特徴とする。そして、請求項３記載の発明に係る投影措置にあっては、前記制御手段は、前記パルス幅の制御情報を、前記光源における前記複数色成分の光毎の劣化度に関連付けて記憶する記憶手段を具備することを特徴とする。
【手続補正４】
【補正対象書類名】明細書
【補正対象項目名】００１０
【補正方法】変更
【補正の内容】
【００１０】
また、請求項４記載の発明に係る投影装置にあっては、前記制御手段は、前記光源から発する複数色成分の光の合計色度のバランスが１フレーム内において保たれるように、前記パルス幅を制御することを特徴とする。そして、請求項５記載の発明に係る投影装置にあっては、前記駆動手段は、所定数の階調を与えるよう前記光源をパルス駆動することを特徴とする。
【手続補正５】
【補正対象書類名】明細書
【補正対象項目名】００１１
【補正方法】変更
【補正の内容】
【００１１】
また、請求項６記載の発明に係る投影装置にあっては、前記光源から発する複数色成分の光を用いて、階調表現される光学像を形成する表示手段を備え、前記表示手段は、最大で前記所定数の階調を再生することを特徴とする。そして、請求項７記載の発明に係る投影装置にあっては、前記検出手段は、前記複数色成分の光毎の光源の劣化度を所定の時間間隔で検出することを特徴とする。
【手続補正６】
【補正対象書類名】明細書
【補正対象項目名】００１２
【補正方法】変更
【補正の内容】
【００１２】
また、請求項８記載の発明に係る投影装置にあっては、前記検出手段は、前記複数色成分の光毎の光源の照度値を測定する測定手段を具備することを特徴とする。そして、請求項９記載の発明に係る投影装置にあっては、前記制御手段は、前記光源から発する複数色成分の光毎の各照度値が、所定の照度値未満であるか否かを判定する判定手段と、前記判定手段が、ある光源の照度値が前記所定の照度値未満であると判定した場合に、前記所定の照度値以上の照度値を有する色成分の光のパルス幅を縮小して前記光源を駆動させる縮小手段を具備することを特徴とする。
【手続補正７】
【補正対象書類名】明細書
【補正対象項目名】００１３
【補正方法】変更
【補正の内容】
【００１３】
また、請求項１０記載の発明に係る投影装置にあっては、前記判定手段が、光源から発する複数色成分の光毎の各照度値が前記所定の照度値未満であると判定した場合に、前記縮小手段は、最小の照度値を有する色成分の光以外の光のパルス幅を縮小して前記光源を駆動させることを特徴とする。
【手続補正８】
【補正対象書類名】明細書
【補正対象項目名】００１４
【補正方法】変更
【補正の内容】
【００１４】
また、請求項１１記載の発明に係る投影装置にあっては、前記縮小手段は、前記光源から発する複数色成分の光の合計色度のバランスが１フレーム内において保たれるように、前記所定の照度値以上の照度値を有する色成分の光のパルス幅を縮小することを特徴とする。
【手続補正９】
【補正対象書類名】明細書
【補正対象項目名】００１５
【補正方法】変更
【補正の内容】
【００１５】
また、請求項１２記載の発明に係る投影装置制御プログラムにあっては、複数色成分の光を個別に制御して発する光源からの光を用い、１フレーム毎に当該光源光の複数色成分に対応した画像をそれぞれ形成し、順次投影する投影装置が有するコンピュータを、前記投影手段による前記複数色成分の各画像投影期間において、前記光源からの複数色成分の光がそれぞれ所定のパルス幅で光パルスを発するよう、前記光源を駆動する駆動手段と、前記複数色成分の光毎に前記光源の劣化度を検出する検出手段と、前記光源から発光される光パルスのパルス幅を、前記劣化度に基づいて制御する制御手段として機能させることを特徴とする。
【手続補正１０】
【補正対象書類名】明細書
【補正対象項目名】００１６
【補正方法】変更
【補正の内容】
【００１６】
また、請求項１３記載の発明は、複数色成分の光を個別に制御して発する光源からの光を用い、１フレーム毎に当該光源光の複数色成分に対応した画像をそれぞれ形成し、順次投影する投影装置における光源制御方法であって、前記投影手段による前記複数色成分の各画像投影期間において、前記光源からの複数色成分の光がそれぞれ所定のパルス幅で光パルスを発するよう、前記光源を駆動する駆動工程と、前記複数色成分の光毎に前記光源の劣化度を検出する検出工程と、前記光源から発光される光パルスのパルス幅を、前記劣化度に基づいて制御する制御工程とを含むことを特徴とする。